(57)【要約】【課題】比較的簡単な構成および作業によって、同時に複数の被試験機器の防水性能の検査を容易に実施可能にする手段を提供する。【解決手段】防水機器１の筐体２内部に気圧センサー６を内蔵し、防水機器１外部の気圧を変化させることができる試験装置を用いることで、外部気圧の変化に対する筐体２内部の気圧変化量を気圧センサー６で測定し、測定値が予め設定した気圧変化量以下か否かにより、防水機器１の防水性能が正常かどうかを確認する。【選択図】図１
2009121965.tif 000002
【特許請求の範囲】
【請求項１】
筐体内部に気圧センサーを内蔵した防水機器を、防水機器外部の気圧を変化させることができる試験装置内に配置し、前記防水機器外部の気圧変化に対する前記防水機器の筐体内部の気圧変化量を、前記気圧センサーを用いて測定し、測定値が予め設定した気圧変化量以下か否かにより、前記防水機器の防水性能が正常か否かを判定することを特徴とする防水機器の防水性能検査方法。
【請求項２】
前記気圧センサーで測定した前記防水機器の筐体内部の気圧変化量を、前記防水機器の外部インタフェースを介して送信することを特徴とする請求項１に記載の防水機器の防水性能検査方法。
【請求項３】
前記気圧センサーで測定した前記防水機器の筐体内部の気圧変化量から前記防水機器の防水性能が正常か否かを判定し、該判定結果を、該防水機器に設けられた表示部に表示することを特徴とする請求項１に記載の防水機器の防水性能検査方法。
【請求項４】
気密が確保され、防水機器を収納することが可能な試験室と、該試験室内部の気圧を一定の値まで上昇させることが可能なポンプとを備えた防水試験機を用いて前記防水機器の防水性能検査を行うシステムであって、
前記防水機器は、筐体内部に気圧センサーと、ＣＰＵと、メモリと、外部インタフェースを備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、防水試験終了後に外部からの指示に従って前記メモリに記憶した前記気圧データを読み出して前記外部インタフェースを介して出力する機能を有している、ことを特徴とする防水機器の防水性能検査システム。
【請求項５】
気密が確保され、防水機器を収納することが可能な試験室と、該試験室内部の気圧を一定の値まで上昇させることが可能なポンプとを備えた防水試験機を用いて前記防水機器の防水性能検査を行うシステムであって、
前記防水機器は、筐体内部に気圧センサーと、ＣＰＵと、メモリと、表示部を備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、前記メモリに記憶された前記気圧データを読み出して前記表示部へ出力する機能を有し、前記表示部は、前記ＣＰＵから出力された前記気圧データを表示する機能を有している、ことを特徴とする防水機器の防水性能検査システム。
【請求項６】
前記ＣＰＵは、前記メモリに記憶された前記気圧データを読み出して予め設定された基準気圧データと比較して防水性能の良否を判定する機能と、該判定結果を前記表示部へ出力する機能を有し、前記表示部は、前記ＣＰＵから出力された前記判定結果を表示する機能を有していることを特徴とする請求項５に記載の防水機器の防水性能検査システム。
【請求項７】
気密が確保され、防水機器を収納することが可能な試験室と、該試験室内部の気圧を一定の値まで上昇させることが可能なポンプとを備えた防水試験機を用いて前記防水機器の防水性能検査を行うシステムであって、
前記防水機器は、筐体内部に気圧センサーと、ＣＰＵと、メモリと、無線部を備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、前記メモリに記憶された前記気圧データを読み出して前記無線部へ出力する機能を有し、前記無線部は、前記ＣＰＵから出力された前記気圧データを無線により送信する機能を有している、ことを特徴とする防水機器の防水性能検査システム。
【請求項８】
前記試験室は、複数の前記防水機器を収納することが可能に構成されていることを特徴とする請求項４〜７のいずれか１項に記載の防水機器の防水性能検査システム。
【請求項９】
気密が確保され、防水機器を収納することが可能な試験室と、該試験室内部の気圧を一定の値まで上昇させることが可能なポンプとを備えた防水試験機による防水性能検査を受けることが可能に構成された防水機器であって、
前記防水機器は、筐体内部に気圧センサーと、ＣＰＵと、メモリと、外部インタフェースを備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、防水試験終了後に外部からの指示に従って前記メモリに記憶した前記気圧データを読み出して前記外部インタフェースを介して出力する機能を有している、ことを特徴とする防水機器。
【請求項１０】
気密が確保され、防水機器を収納することが可能な試験室と、該試験室内部の気圧を一定の値まで上昇させることが可能なポンプとを備えた防水試験機による防水性能検査を受けることが可能に構成された防水機器であって、
前記防水機器は、筐体内部に気圧センサーと、ＣＰＵと、メモリと、表示部を備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、前記メモリに記憶された前記気圧データを読み出して前記表示部へ出力する機能を有し、前記表示部は、前記ＣＰＵから出力された前記気圧データを表示する機能を有している、ことを特徴とする防水機器。
【請求項１１】
前記ＣＰＵは、前記メモリに記憶された前記気圧データを読み出して予め設定された基準気圧データと比較して防水性能の良否を判定する機能と、該判定結果を前記表示部へ出力する機能を有し、前記表示部は、前記ＣＰＵから出力された前記判定結果を表示する機能を有していることを特徴とする請求項１０に記載の防水機器。
【請求項１２】
気密が確保され、防水機器を収納することが可能な試験室と、該試験室内部の気圧を一定の値まで上昇させることが可能なポンプとを備えた防水試験機による防水性能検査を受けることが可能に構成された防水機器であって、
前記防水機器は、筐体内部に気圧センサーと、ＣＰＵと、メモリと、無線部を備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、前記メモリに記憶された前記気圧データを読み出して前記無線部へ出力する機能を有し、前記無線部は、前記ＣＰＵから出力された前記気圧データを無線により送信する機能を有している、ことを特徴とする防水機器。
【発明の詳細な説明】
【技術分野】
【０００１】
本発明は、防水性を備えた携帯電話機、ＰＨＳ、デジタルカメラ等の電子機器における防水性能を検査して判定する技術に関する。
【背景技術】
【０００２】
携帯電話機、ＰＨＳ、デジタルカメラ等の屋外で使用する機会の多い電子機器に対する防水化のニーズが高まっており、そのため出荷検査で防水検査も行うケースも増えている。防水検査方法として、被試験機器を水に浸漬して機器内に浸入する水量を測定する、あるいは、試験しようとする機器の内部に、水中にて一定の空気を加えた時の空気の機器外への漏出の有無を判定する方法があるが、この方法の場合、検査時の器機内部への水の流入による電子機器の故障、性能劣化等を生ずる虞がある。
【０００３】
このような問題を解消し、被試験機器を水に浸漬することなく機器の気密性試験を行うことを可能にする手段が特許文献１において提案されている。
【０００４】
特許文献１に記載の気密試験方法は、被試験機器の内部を大気に連通した状態で前記被試験機器に外圧を負荷し、外圧負荷後に、被試験機器内部と大気とを遮断して前記被試験機器の内部への空気流入量の違いにより発生する気圧変化を測定し、この測定結果に基づく被試験機器の気密性判定により、正常品と異常品の判別を実施している。
【０００５】
【特許文献１】特開平０７−３１８４５２号公報
【特許文献２】特開平０５−００１９６１号公報
【発明の開示】
【発明が解決しようとする課題】
【０００６】
特許文献１に記載の気密試験方法によれば、気密性を要する機器の気密試験を比較的短時間で評価することができ、評価作業のコスト低減が図れ、又水中に機器を浸漬する必要がないので機器の性能劣化防止等、気密試験に伴う悪影響を排除することができ、品質の向上を図ることが可能であるが、この気密試験方法では、被試験機器を気密室内において気密室内に設けられたノズル等との接続作業を行わなければならず、また、１台ずつしか検査できないので、検査が非効率であり、大量生産に適した検査方法とはいえない。
【０００７】
即ち特許文献１に記載の発明は、被試験機器を気密室内に装入した後、まず、被試験機器内部を、ノズル、ホース、３方継手を介して第１電磁弁、第１のマノスタゲイジに連通した状態で、圧縮空気を気密室内部に導入することにより気密室内を所要の圧力に昇圧して被試験機器を外圧により圧縮変形し、被試験機器内部の空気を前記ホース、３方継手、第１電磁弁を介して大気に放出し、次に、前記被試験機器の圧縮変形が完了するに充分な設定時間経過後に、前記第１電磁弁を閉じて前記被試験機器内部を密閉された状態とし、この状態で前記気密室内部から該被試験機器内部への空気の漏洩があると、該被試験機器の内圧が上昇するので、この内圧の変化を前記マノスタゲイジにより検知して前記被試験機器の気密性判定を行う構成となっている。
【０００８】
したがって、仮に、この気密室内で、同時に複数の被試験機器の気密性判定を行うためには、それぞれを個別のノズル、ホース、３方継手を介して個別の第１電磁弁、第１のマノスタゲイジに連通しなければならず、構成が複雑となるとともに、作業も煩雑となる。また、被試験機器内部への空気流入量が小さい場合、外部の気圧変化が小さく、防水性能の劣化を検知できないことがある、等の問題があった。
【０００９】
本発明の目的は、上記問題点に鑑み、比較的簡単な構成および作業によって、同時に複数の被試験機器の防水性能の検査を容易に実施可能にする手段を提供することにある。
【課題を解決するための手段】
【００１０】
防水機器においては、防水性能が正常に機能している場合と組み込み不良もしくは部品不良などにより防水性能が正常でない場合における、外気の気圧変化による筐体内部の気圧変化を比較すると、組み込み不良もしくは部品不良などにより防水性能が正常でない場合の方が、防水性能が正常に機能している場合よりも外気の気圧変化による筐体内部の気圧変化が大きくなる。
【００１１】
本発明はこの点に着目し、防水機器の筐体内部に気圧センサーを内蔵し、防水機器外部の気圧を変化させることができる試験装置を用いることで、外部気圧の変化に対する筐体内部の気圧変化量を前記気圧センサーで測定し、測定値が予め設定した気圧変化量以下か否かにより、防水機器の防水性能が正常か否かを判定することを特徴としている。
【００１２】
気圧センサーとして、例えば感圧素子を用いた気圧センサー等、非常に小型の気圧センサーが開発されている（特許文献２等参照）。本発明は、このような気圧センサーを用いて実現することが可能である。
【００１３】
具体的には、本発明の防水機器の防水性能検査方法は、筐体内部に気圧センサーを内蔵した防水機器を、防水機器外部の気圧を変化させることができる試験装置内に配置し、前記防水機器外部の気圧変化に対する前記防水機器の筐体内部の気圧変化量を、前記気圧センサーを用いて測定し、測定値が予め設定した気圧変化量以下か否かにより、前記防水機器の防水性能が正常か否かを判定することを特徴とする。
【００１４】
本発明の防水機器の防水性能検査システムは、気密が確保され、防水機器を収納することが可能な試験室と、該試験室内部の気圧を一定の値まで上昇させることが可能なポンプとを備えた防水試験機を用いて前記防水機器の防水性能検査を行うシステムであって、前記防水機器は、筐体内部に気圧センサーと、ＣＰＵと、メモリと、外部インタフェースを備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、防水試験終了後に外部からの指示に従って前記メモリに記憶した前記気圧データを読み出して前記外部インタフェースを介して出力する機能を有している、ことを特徴とする。
【００１５】
また本発明の防水機器の防水性能検査システムは、気密が確保され、防水機器を収納することが可能な試験室と、該試験室内部の気圧を一定の値まで上昇させることが可能なポンプとを備えた防水試験機を用いて前記防水機器の防水性能検査を行うシステムであって、前記防水機器は、筐体内部に気圧センサーと、ＣＰＵと、メモリと、表示部を備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、前記メモリに記憶された前記気圧データを読み出して前記表示部へ出力する機能を有し、前記表示部は、前記ＣＰＵから出力された前記気圧データを表示する機能を有している、ことを特徴とする。
【００１６】
また本発明の防水機器の防水性能検査システムは、気密が確保され、防水機器を収納することが可能な試験室と、該試験室内部の気圧を一定の値まで上昇させることが可能なポンプとを備えた防水試験機を用いて前記防水機器の防水性能検査を行うシステムであって、前記防水機器は、筐体内部に気圧センサーと、ＣＰＵと、メモリと、無線部を備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、前記メモリに記憶された前記気圧データを読み出して前記無線部へ出力する機能を有し、前記無線部は、前記ＣＰＵから出力された前記気圧データを無線により送信する機能を有している、ことを特徴とする。
【００１７】
本発明の防水機器は、気密が確保され、防水機器を収納することが可能な試験室と、該試験室内部の気圧を一定の値まで上昇させることが可能なポンプとを備えた防水試験機による防水性能検査を受けることが可能に構成された防水機器であって、筐体内部に気圧センサーと、ＣＰＵと、メモリと、外部インタフェースを備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、防水試験終了後に外部からの指示に従って前記メモリに記憶した前記気圧データを読み出して前記外部インタフェースを介して出力する機能を有している、ことを特徴とする。
【００１８】
また本発明の防水機器は、気密が確保され、防水機器を収納することが可能な試験室と、該試験室内部の気圧を一定の値まで上昇させることが可能なポンプとを備えた防水試験機による防水性能検査を受けることが可能に構成された防水機器であって、筐体内部に気圧センサーと、ＣＰＵと、メモリと、表示部を備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、前記メモリに記憶された前記気圧データを読み出して前記表示部へ出力する機能を有し、前記表示部は、前記ＣＰＵから出力された前記気圧データを表示する機能を有している、ことを特徴とする。
【００１９】
また本発明の防水機器は、気密が確保され、防水機器を収納することが可能な試験室と、該試験室内部の気圧を一定の値まで上昇させることが可能なポンプとを備えた防水試験機による防水性能検査を受けることが可能に構成された防水機器であって、筐体内部に気圧センサーと、ＣＰＵと、メモリと、無線部を備えており、前記気圧センサーは、前記試験室内に入れられて防水性能検査が実施されたときの筐体内部気圧を計測する機能を有し、前記ＣＰＵは、前記試験室内に入れられて防水性能検査が実施されたとき、前記気圧センサーによる計測データを取り込んで前記筐体内部気圧を測定する機能と、該測定した気圧データを前記メモリに記憶する機能と、前記メモリに記憶された前記気圧データを読み出して前記無線部へ出力する機能を有し、前記無線部は、前記ＣＰＵから出力された前記気圧データを無線により送信する機能を有している、ことを特徴とする。
【００２０】
本発明では、端末（防水機器）側にこの気圧検出センサーを内蔵することによって、端末側でそれぞれの筐体内部の気圧変化を測定可能としているので、１台の防水検査機で複数の機器の検査を、簡単な操作でかつ同時に行うことができ、また、筐体内部の気圧変化を直接測定する方式のため、従来方式よりも精度が高い検査を行うことができる。
【発明の効果】
【００２１】
第１の効果は、実際に水を使わないで防水性能の試験を行うことが可能であるため、検査時の器機内部への水の流入による電気的に破壊する可能性がない。
【００２２】
第２の効果は、端末自体に筐体内部の気圧変化を測定する機能があるため、煩雑な操作を行うことなく、１台の試験機で複数の端末を同時に試験することが可能である。
【００２３】
第３の効果は、端末自体に筐体内部の気圧変化を測定する機能があるため、正確に筐体内部の気圧変化を測定することができる。
【発明を実施するための最良の形態】
【００２４】
図１は、本発明の第１の実施形態を示す防水機器の概略構成図であり、図２は、本実施形態の防水機器内部に設けられた基板に実装されている、本発明と関連する回路構成を示すブロック図である。
【００２５】
防水機器１は、外部からの水分の流入を防ぐことができる筐体２を有しており、筐体２には電気部品を実装するための基板３が内蔵されている。基板３には、ＣＰＵ４、メモリ５、気圧センサー６、外部インタフェース１３等が実装され、基板配線によって電気的に接続されている。
【００２６】
ＣＰＵ４は、気圧センサー６で計測された気圧データを読み出す機能と、該読み出した気圧データをメモリ５に保存する機能と、外部からの指示に従って、メモリ５に保存された気圧データを読み出し、外部インタフェース１３を経由して端末外に出力する機能を有している。
【００２７】
なおＣＰＵ４は、上記機能以外に、この防水機器１に備えられた各種機能を実行するための制御機能を有する構成として実現される。例えばこの防水機器１が携帯電話機に適用された場合には、ＣＰＵ４は、携帯電話機が備えている各種機能を実現するための制御も実行する。ＣＰＵ４により実行される本発明の機能、あるいは携帯電話機としての機能は、制御プログラムとしてメモリ５に格納されており、ＣＰＵ４はメモリ５から各種制御プログラムを読み出して、対応する機能を実行するコンピュータである。
【００２８】
図３は、本発明により用いられる防水試験機を示す概略構成図である。
【００２９】
図３に示すように、防水試験機７は、外部との気密を確保された試験室８と、試験室８内部の気圧を変化させることが可能なポンプ９と、試験室内の気圧を計測する気圧計１０を備えている。外部からの操作により試験室内部の気圧をポンプ９により変動させ、そのときの試験室８内の気圧を気圧計１０で計測する簡単な構成で実現可能である。また、試験室８には、防水機器１が複数入れられるようになっている。
【００３０】
防水機器１の防水試験を行う際には、試験室８内に、複数の防水機器１を入れた状態で、ポンプ９により試験室８内部の気圧を変化させる。この試験室８内部気圧の変化を受けて、防水機器１の筐体２内部の気圧も変化する。この気圧変化は各防水機器１内の気圧センサー６でそれぞれ計測される。計測データは、各防水機器１内のＣＰＵ４でそれぞれ読み取られ、各防水機器１内部の気圧データとしてメモリ５にそれぞれ記憶される。
【００３１】
この防水試験終了後に、これらの防水機器１を試験室８内から取り出し、各防水機器１の外部インタフェース１３経由でそれぞれのメモリに保存されている測定気圧データを読み取る。この読み取った測定気圧データ値を、予め設定された値と比較することにより、防水機器の防水性能が正常かどうかを確認する。
【００３２】
図４は、本実施形態の防水機器の防水検査を行うときの動作を示すフローチャートである。以下、本実施形態の防水機器の防水検査動作について、図１〜図４を参照して詳細に説明する。
【００３３】
まず、検査対象の防水機器１に対して、それぞれ内部気圧測定が可能な検査モードに設定する（Ｓ１）。次に、これらの防水機器１を試験室８に入れて、密閉された状態にする（Ｓ２）。その後、気圧計１０を監視しながら、ポンプ９により気密室８内部の気圧を一定の値にまで上昇させる（Ｓ３）。
【００３４】
気密室８内部の気圧を一定の値にまで上昇させた時に、気圧センサー６で計測された防水機器１内部の気圧変化をＣＰＵ４が読み取り、測定データとしてメモリ５に記憶する（Ｓ４）。次に、試験室８内部の気圧を大気に戻して防水機器１を気密室８から取り出し、外部インタフェース１３及びＣＰＵ４経由でメモリ５に記憶された測定データを読み出し（Ｓ５）、防水機能が正常であるかどうかを判定する。
【００３５】
読み出された測定データが正常な値であれば試験終了、異常な値であった場合には、必要であれば不良原因を調査し、修理等を行って、再試験を実施する。
【００３６】
本実施形態によれば、防水機器１自体に筐体内部の気圧変化を測定する機能を設けたので、１台の試験機で複数の防水機器を同時に試験することが可能である。さらに、試験機の構成も、外部との気密を確保する試験室８と、試験室８内部の気圧を変化させることが可能なポンプ９と、試験室内の気圧を計測する気圧計１０を備えるだけの極めて簡単な構成で実現できる。
【００３７】
更に試験のための操作も、試験室８内に試験対象の複数の防水機器を入れる操作、ポンプ９により試験室８内部の気圧を一定の値にまで上昇させる操作、試験室８内部の気圧を大気に戻して防水機器１を気密室８から取り出す操作、各防水機器１内のメモリ５に記憶された測定データを読み出す操作を行うだけの、極めて単純な操作により試験を行うことができる。
【００３８】
図５は、本発明の第２の実施形態を示す防水機器の概略構成図であり、図６は、本実施形態の防水機器内部に設けられた基板に実装されている、本発明と関連する回路構成を示すブロック図である。
【００３９】
本実施形態は、防水機器１の外部の気圧変化に対する筐体２内部の気圧変化を測定することにより、防水性能の試験を行う点では、第１の実施形態と同様であるが、本実施形態では、外部インタフェースを用いたデータ読み出しではなく、ＣＰＵ４が、メモリ５に書き込んだ気圧測定データを読み出して防水機器１に実装されている表示用部品１１を使用して表示する。あるいはメモリ５に書き込んだ気圧測定データを読み出して試験時の防水機器１の良否判別を行い、その結果を、気圧測定データとともに防水機器１に実装されている表示用部品を使用して表示することを特徴としている。
【００４０】
即ち図５に示すように、本実施形態の防水機器１は、基板３上に表示用部品１１を有している。この表示用部品１１は、水及び空気の流入することのないスクリーン１２越しに外部から目視することが可能となっている。
【００４１】
ＣＰＵ４は、気圧センサー６で計測された気圧データを読み出す機能と、該読み出した気圧データをメモリ５に書き込む機能と、メモリ５に保存された気圧データを読み出して表示用部品１１へ出力するとともに、該気圧データから、当該防水機器１の良否判別を行って、その結果を表示用部品１１に表示させる機能を有している。
【００４２】
図７は、本実施形態の防水機器の防水検査を行うときの動作を示すフローチャートである。
【００４３】
本実施形態の防水機器の防水検査動作において、(Ｓ１)〜（Ｓ４）までの動作は、図４に示す第１の実施形態の動作と同様であるので、これらの動作説明は省略し、本実施形態の特徴とする構成に伴う動作についてのみ、以下に説明する。
【００４４】
ＣＰＵ４は、（Ｓ４）においてメモリ５に記憶された気圧データを読み出して、当該防水機器１の防水性能の良否判定のために設定されている基準気圧データと比較し、メモリ５に書き込まれた気圧データが基準気圧データよりも低ければ防水性能は正常と判定し、メモリ５に書き込まれた気圧データが基準気圧データよりも高ければ防水性能は不良と判定する。判定結果は一端メモリ５に書き込まれ、その後、メモリ５に書き込まれた気圧データとともに表示用部品１１へ出力して表示させる。
【００４５】
このように、本実施形態によれば、防水試験実施後に、防水機器１の防水性能が正常か否かの結果を視覚的に、かつ速やかに確認することが可能である。なお、表示形態としては、測定気圧データのみの表示、判定結果のみの表示、あるいは測定気圧データおよび判定結果を表示する、いずれの方法も可能である。
【００４６】
なお、更に別の実施形態として、防水機器１が無線送受信機能を備えている場合、ＣＰＵ４による当該防水機器１の防水性能の良否判定結果を、前記無線送受信機能を用いて、測定気圧データあるいは判定結果を所定の無線端末に転送する方法を採用することもできる。
【図面の簡単な説明】
【００４７】
【図１】本発明の第１の実施形態を示す防水機器の概略構成図である。
【図２】第１実施形態の防水機器内部に設けられた基板に実装されている回路構成を示すブロック図である。
【図３】本発明により用いられる防水試験機を示す概略構成図である。
【図４】第１実施形態の防水機器の防水検査を行うときの動作を示すフローチャートである。
【図５】本発明の第２の実施形態を示す防水機器の概略構成図である。
【図６】第２実施形態の防水機器内部に設けられた基板に実装されている回路構成を示すブロック図である。
【図７】第１実施形態の防水機器の防水検査を行うときの動作を示すフローチャートである。
【符号の説明】
【００４８】
１  防水機器
２  筐体
３  基板
４  ＣＰＵ
５  メモリ
６  気圧センサー
７  防水試験機
８  試験室
９  ポンプ
１０  気圧計
１１  表示用部品
１２  スクリーン
１３  外部インタフェース
【図１】
2009121965.tif 000003
【図２】
2009121965.tif 000004
【図３】
2009121965.tif 000005
【図４】
2009121965.tif 000006
【図５】
2009121965.tif 000007
【図６】
2009121965.tif 000008
【図７】
2009121965.tif 000009